(57)【要約】【課題】作業時間の短縮化が図れるとともに作業者が作業対象の心線を確実に認識することができる光ファイバ心線番号識別ツールを提供する。【解決手段】右回り用光ファイバ心線番号識別ツール１０Ｒは富士山型のリング状の形状を有し、第１乃至第１２の凸部１１1〜１１12が周方向に沿って等間隔に外周面に形成され、第１乃至第１２の溝１２1〜１２12が第１乃至第１２の凸部１１1〜１１12の隣り合う凸部の間に形成され、識別爪１３が第１の溝１２1の部分の内周面に形成され、切れ目１４が第１２の凸部１１12と第１の溝１２1との境界部分に形成され、ＳＺ撚りスロットロッド１ｂを貫通させるための貫通孔１５が左側端面から右側端面まで形成され、各心線の心線番号を識別するための第１乃至第１２の表示２１1〜２１12が第１乃至第１２の凸部１１1〜１１12の上面に取り付けられている。【選択図】図１
2011158572.tif 000002
【特許請求の範囲】
【請求項１】
ＳＺ撚りテープスロット型光ファイバケーブル（１）の心線番号を認識するための光ファイバ心線番号識別ツール（１０Ｒ，１０Ｌ）であって、
一方の端面の径（ＬL）が他方の端面の径（ＬR）よりも小さい富士山型のリング状の形状を有し、
複数の凸部（１１1〜１１12）が、前記光ファイバ心線番号識別ツールの周方向に沿って等間隔に該光ファイバ心線番号識別ツールの外周面に形成されており、
複数の溝（１２1〜１２12）が、前記複数の凸部の隣り合う凸部の間に形成されており、
識別爪（１３）が、前記複数の溝のうちの一つの溝（１２1）の部分の内周面に形成されており、
切れ目（１４）が、前記複数の凸部のうちの一つと前記複数の溝のうちの該一つの凸部と隣り合う溝との境界部分に形成されており、
前記ＳＺ撚りテープスロット型光ファイバケーブルのＳＺ撚りスロットロッド（１ｂ）を貫通させるための貫通孔（１５）が、前記一方の端面から前記他方の端面まで形成されており、
前記ＳＺ撚りテープスロット型光ファイバケーブルの各スロットテープ心線（２1〜２12）に積層収容された各テープ心線に含まれる各心線の心線番号を識別するための複数の表示（２１1〜２１12）が、前記複数の凸部の上面に１つずつ取り付けられている、
ことを特徴とする、光ファイバ心線番号識別ツール。
【請求項２】
前記複数の表示には、前記各心線に付与された心線番号のうち一番若い心線番号が該各心線に付与された色を背景色として書かれていることを特徴とする、請求項１記載の光ファイバ心線番号識別ツール。
【請求項３】
前記一方の端面が、前記複数の溝が前記複数の凸部よりも引っ込むようにされていることを特徴とする、請求項１または２記載の光ファイバ心線番号識別ツール。
【請求項４】
２つの請求項１乃至３いずれかに記載の光ファイバ心線番号識別ツールを一体化させた光ファイバ心線番号識別ツール（５０）であって、
前記２つの光ファイバ心線番号識別ツールの一方の光ファイバ心線番号識別ツールの前記複数の凸部（５１1〜５１12）と他方のファイバ心線番号識別ツールの前記複数の凸部（７１1〜７１12）とが連続的に形成されており、
前記一方の光ファイバ心線番号識別ツールの前記複数の溝（５２1〜５２12）と前記他方のファイバ心線番号識別ツールの前記複数の溝（７２1〜７２12）とが連続的に形成されており、
前記複数の表示（６１1〜６１12，８１1〜８１12）が前記複数の凸部の上面に取り付けられる向きが、前記一方の光ファイバ心線番号識別ツールと前記他方の光ファイバ心線番号識別ツールとで逆になっている、
ことを特徴とする、光ファイバ心線番号識別ツール。
【発明の詳細な説明】
【技術分野】
【０００１】
本発明は、光ファイバ心線番号識別ツールに関し、特に、ＳＺ撚りテープスロット型光ファイバケーブルの心線番号を認識するのに好適な光ファイバ心線番号識別ツールに関する。
【背景技術】
【０００２】
光ファイバケーブルの途中からの分岐を容易にするために、ＳＺ撚りテープスロット型光ファイバケーブルが使用されている。
【０００３】
ＳＺ撚りテープスロット型光ファイバケーブルは、たとえば図６に示すＳＺ撚りテープスロット型光ファイバケーブル１０１のように、テンションメンバ１０１ａと、テンションメンバ１０１ａの周囲に設けられたＳＺ撚りスロットロッド１０１ｂと、ＳＺ撚りスロットロッド１０１ｂを被覆するシース１０１ｃとを備える。
ここで、ＳＺ撚りスロットロッド１０１ｂの外周には、５個のスロットがＳＺ撚りスロットロッド１０１ｂの周方向に沿って等間隔に形成されている。また、ＳＺ撚りスロットロッド１０１ｂの外周の５個のスロットのうちの１個のスロット（以下、「第１のスロット」と称する。）の両側には、第１のスロットを識別するための２本のトレーサマーク１０１ｄが描かれている。
光ファイバテープ心線１０２（以下、「テープ心線１０２」と称する。）は、ＳＺ撚りスロットロッド１０１ｂの各スロットに積層収容されている。以下、説明の簡単のため、第１のスロットに積層収容された複数本のテープ心線１０２を第１のスロットテープ心線１０３1と称し、第１のスロットテープ心線１０３1を起点として図６図示右回り（時計回り）に各スロットに積層収容された複数本のテープ心線１０２を第２乃至第５のスロットテープ心線１０３2〜１０３5のように称する。
【０００４】
従来、このようなＳＺ撚りテープスロット型光ファイバケーブル１０１の工事では、各テープ心線１０２に含まれる心線（素線）の心線番号は色および配列によって決定されており、作業者の記憶によるか心線早見表を別途用意するかして作業対象の心線を認識することにより、作業が行われている。
そのため、ＳＺ撚りテープスロット型光ファイバケーブル１０１のシース１０１ｃを取り除いたときにテープ心線１０２がばらばらになって、作業者が作業対象の心線を認識するのが困難となる場合があった。
【０００５】
そこで、たとえばクロージャ１１０内にＳＺ撚りテープスロット型光ファイバケーブル１０１を導入して、ＳＺ撚りテープスロット型光ファイバケーブル１０１の１本の心線を光ファイバドロップケーブルの心線に接続する作業を行う際には、作業員は、図７（ａ）に示すようにクロージャ１１０内に導入されたＳＺ撚りテープスロット型光ファイバケーブル１０１をケーブル把持金具１１１で固定し、ＳＺ撚りテープスロット型光ファイバケーブル１０１のシース１０１ｃを取り除いたのち、露出された第１乃至第５のスロットテープ心線１０３1〜１０３5（図６参照）に色の異なる５本の色チューブ１２１をそれぞれ取り付けることにより、色チューブ１２１の色に基づいて自身の記憶によるか心線早見表を参照するかして作業対象の心線を認識するようにしている。
【０００６】
なお、本出願人の一人は、下記の特許文献１において、光ケーブル心線の多心化された素線を一目で識別できるようにするために、多数の素線を内蔵する光ケーブルについて、それらの素線を識別して表示する方法であって、複数のスロットについての通し番号付けをしたスロット番号と、スロット内での積層配置される複数のテープ心線についてのスロット毎に通し番号付けをしたテープ心線番号と、各テープ心線に含まれる各素線についての各テープ心線内での配置番号、素線毎の色表示および総素線通し番号とのすべてのデータを一覧形式によって表示する光ケーブルの素線識別表示方法を提案している。
【先行技術文献】
【特許文献】
【０００７】
【特許文献１】特開２００８−０７６７６０号公報
【発明の概要】
【発明が解決しようとする課題】
【０００８】
しかしながら、従来のＳＺ撚りテープスロット型光ファイバケーブル１０１の工事では作業者が色チューブ１２１の色に基づいて自身の記憶によるか心線早見表を参照するかして作業対象の心線を認識しているため、第１乃至第５のスロットテープ心線１０３1〜１０３5ごとに色チューブ１２１を取り付ける必要があり作業時間がかかるとともに作業対象の心線を確実に認識することはできないという問題があった。
【０００９】
本発明の目的は、作業時間の短縮化が図れるとともに作業者が作業対象の心線を確実に認識することができる光ファイバ心線番号識別ツールを提供することにある。
【課題を解決するための手段】
【００１０】
本発明の光ファイバ心線番号識別ツールは、ＳＺ撚りテープスロット型光ファイバケーブル（１）の心線番号を認識するための光ファイバ心線番号識別ツール（１０Ｒ，１０Ｌ）であって、一方の端面の径（ＬL）が他方の端面の径（ＬR）よりも小さい富士山型のリング状の形状を有し、複数の凸部（１１1〜１１12）が、前記光ファイバ心線番号識別ツールの周方向に沿って等間隔に該光ファイバ心線番号識別ツールの外周面に形成されており、複数の溝（１２1〜１２12）が、前記複数の凸部の隣り合う凸部の間に形成されており、識別爪（１３）が、前記複数の溝のうちの一つの溝（１２1）の部分の内周面に形成されており、切れ目（１４）が、前記複数の凸部のうちの一つと前記複数の溝のうちの該一つの凸部と隣り合う溝との境界部分に形成されており、前記ＳＺ撚りテープスロット型光ファイバケーブルのＳＺ撚りスロットロッド（１ｂ）を貫通させるための貫通孔（１５）が、前記一方の端面から前記他方の端面まで形成されており、前記ＳＺ撚りテープスロット型光ファイバケーブルの各スロットテープ心線（２1〜２12）に積層収容された各テープ心線に含まれる各心線の心線番号を識別するための複数の表示（２１1〜２１12）が、前記複数の凸部の上面に１つずつ取り付けられていることを特徴とする。
ここで、前記複数の表示には、前記各心線に付与された心線番号のうち一番若い心線番号が該各心線に付与された色を背景色として書かれていてもよい。
前記一方の端面が、前記複数の溝が前記複数の凸部よりも引っ込むようにされていてもよい。
２つの上記の光ファイバ心線番号識別ツールを一体化させた光ファイバ心線番号識別ツール（５０）であって、前記２つの光ファイバ心線番号識別ツールの一方の光ファイバ心線番号識別ツールの前記複数の凸部（５１1〜５１12）と他方のファイバ心線番号識別ツールの前記複数の凸部（７１1〜７１12）とが連続的に形成されており、前記一方の光ファイバ心線番号識別ツールの前記複数の溝（５２1〜５２12）と前記他方のファイバ心線番号識別ツールの前記複数の溝（７２1〜７２12）とが連続的に形成されており、前記複数の表示（６１1〜６１12，８１1〜８１12）が前記複数の凸部の上面に取り付けられる向きが、前記一方の光ファイバ心線番号識別ツールと前記他方の光ファイバ心線番号識別ツールとで逆になっていてもよい。
【発明の効果】
【００１１】
本発明の光ファイバ心線番号識別ツールは、以下に示す効果を奏する。
（１）作業員は光ファイバ心線番号識別ツールをＳＺ撚りスロットロッドに取り付けたのちに光ファイバ心線番号識別ツールを回しながらＳＺ撚りテープスロット型光ケーブルのシース切取面まで移動させるだけで複数のスロットテープ心線を複数の溝にそれぞれ嵌めることができるため、複数のスロットテープ心線に色チューブをそれぞれ取り付ける場合に比べて作業時間を大幅に短縮することができる。
（２）作業員は凸部の上面に取り付けられた表示を見ることにより、作業対象の心線を確実に認識することができる。
【図面の簡単な説明】
【００１２】
【図１】本発明の第１の実施例による光ファイバ心線番号識別ツールの構成を示す図であり、（ａ）は右回り用光ファイバ心線番号識別ツール１０Ｒの構成を示す図であり、（ｂ）は左回り用光ファイバ心線番号識別ツール１０Ｌの構成を示す図である。
【図２】図１に示した第１乃至第１２の表示２１1〜２１12について説明するための図であり、（ａ）は第１のスロットテープ心線に積層収容された１０本のテープ心線に含まれる８０本の心線に付与された心線番号の一例を示す図であり、（ｂ）は各スロットテープ心線に積層収容されたか１０本のテープ心線に含まれる８０本の心線に付与された色の一例を示す図である。
【図３】図１に示した第１乃至第１２の表示２１1〜２１12の一例を示す図であり、（ａ）は第１の表示２１1を示す図であり、（ｂ）は第２の表示２１2を示す図である。
【図４】図１に示した右回り用光ファイバ心線番号識別ツール１０Ｒおよび左回り用光ファイバ心線番号識別ツール１０Ｌの使用方法を説明するための図であり、（ａ）は右回り用光ファイバ心線番号識別ツール１０Ｒの使用方法を説明するための図であり、（ｂ）は左回り用光ファイバ心線番号識別ツール１０Ｌの使用方法を説明するための図である。
【図５】本発明の第２の実施例による光ファイバ心線番号識別ツール５０について説明するための図である。
【図６】ＳＺ撚りテープスロット型光ファイバケーブル１０１の構造を説明するための横断面図である。
【図７】従来のＺ撚りテープスロット型光ファイバケーブル１０１の工事における色チューブ１２１を用いた作業対象の心線の認識方法を説明するための図である。
【発明を実施するための形態】
【００１３】
上記の目的を、富士山型のリング状の形状とし、複数の凸部を周方向に沿って等間隔に外周面に形成し、複数の溝を複数の凸部の隣り合う凸部の間に形成するとともに、ＳＺ撚りテープスロット型光ファイバケーブルの各スロットテープ心線に積層収容された各テープ心線に含まれる各心線の心線番号を識別するための複数の表示を複数の凸部の上面に１つずつ取り付けることにより実現した。
【実施例１】
【００１４】
以下、本発明の光ファイバ心線番号識別ツールの実施例について図面を参照して説明する。
まず、本発明の第１の実施例による光ファイバ心線番号識別ツールについて、図１乃至図４を参照して説明する。
本実施例による光ファイバ心線番号識別ツールは、図１（ａ）に示す右回り用光ファイバ心線番号識別ツール１０Ｒと、図１（ｂ）に示す左回り用光ファイバ心線番号識別ツール１０Ｌとを具備する。
ここで、右回り用光ファイバ心線番号識別ツール１０Ｒは、ＳＺ撚りテープスロット型光ファイバケーブルのシースを取り除いたときに各スロットが番号順に右回り（すなわち、スロット順が右回り）の場合に使用するものであり、左回り用光ファイバ心線番号識別ツール１０Ｌは、ＳＺ撚りテープスロット型光ファイバケーブルのシースを取り除いたときに各スロットが番号順に左回り（すなわち、スロット順が左回り）の場合に使用するものである。
【００１５】
右回り用光ファイバ心線番号識別ツール１０Ｒは、一方の端面（図１（ａ）図示左側の端面。以下、「左側端面」と称する。）の径ＬLが他方の端面（同図図示右側の端面。以下、「右側端面」と称する。）の径ＬRよりも小さい富士山型のリング状の形状を有する。
すなわち、右回り用光ファイバ識別心線番号ツール１０Ｒの左側端面の径ＬLは、ＳＺ撚りテープスロット型光ファイバケーブルのＳＺ撚りスロットロッド（図６に示したＳＺ撚りスロットロッド１０１ｂ参照）の径と略同じにされており、また、右回り用光ファイバ識別心線番号ツール１０Ｒの右側端面の径ＬRは左側端面の径ＬLよりも４０ｍｍほど大きくされている。
【００１６】
右回り用光ファイバ心線番号識別ツール１０Ｒの長さ（左側端面から右側端面までの長さ）は、２０ｍｍ程度とされている。
【００１７】
右回り用光ファイバ心線番号識別ツール１０Ｒには、左側端面から右側端面までＳＺ撚りテープスロット型光ファイバケーブルのＳＺ撚りスロットロッドを貫通させるための貫通孔１５が形成されている。
ここで、貫通孔１５の径は、一定であり、ＳＺ撚りテープスロット型光ファイバケーブルのＳＺ撚りスロットロッドの径と略同じにされている。したがって、右回り用光ファイバ心線番号識別ツール１０Ｒは、左側端面から右側端面に向けて厚さが直線的に大きくなるようにされている。
【００１８】
右回り用光ファイバ心線番号識別ツール１０Ｒの外周面には、第１乃至第１２の凸部１１1〜１１12が、右回り用光ファイバ心線番号識別ツール１０Ｒの周方向に沿って等間隔に、右側端面側から見て右回り（時計回り）に順に形成されている。
ここで、第１乃至第１２の凸部１１1〜１１12の高さは、右回り用光ファイバ心線番号識別ツール１０Ｒの左側端面から右側端面に向けて直線的に大きくなるようにされている。
これにより、右回り用光ファイバ心線番号識別ツール１０Ｒの外周面の第１乃至第１２の凸部１１1〜１１12の隣り合う凸部の間には、右回り用光ファイバ心線番号識別ツール１０Ｒの左側端面から右側端面に向けて深さが直線的に深くなる第１乃至第１２の溝１２1〜１２12が形成されている。
なお、第１の凸部１１1と第１２の凸部１１12との間に形成されている溝を第１の溝１２1とし、第１の溝１２1から右回り用光ファイバ心線番号識別ツール１０Ｒの右側端面側から見て右回りに順に形成されている溝を第２乃至第１２の溝１２2〜１２12とする。
【００１９】
右回り用光ファイバ心線番号識別ツール１０Ｒの左側端面は、第１乃至第１２の溝１２1〜１２12が第１乃至第１２の凸部１１1〜１１12よりも引っ込むようにされている。すなわち、第１乃至第１２の凸部１１1〜１１12の左側端面は第１乃至第１２の溝１２1〜１２12の左側端面よりも飛び出るようにされている。
【００２０】
右回り用光ファイバ心線番号識別ツール１０Ｒの第１の溝１２1の部分の内周面には、先端が尖った横断面形状が三角形状の識別爪１３が、左側端面から右側端面まで形成されている。
【００２１】
右回り用光ファイバ心線番号識別ツール１０Ｒの第１２の凸部１１12と第１の溝１２1との境界部分には切れ目１４が形成されており、右回り用光ファイバ心線番号識別ツール１０Ｒを切れ目１４から開いてＺ撚りテープスロット型光ファイバケーブルのＳＺ撚りスロットロッドに取り付けたのちに右回り用光ファイバ心線番号識別ツール１０Ｒを閉じることにより、ＳＺ撚りスロットロッドが貫通孔１５を貫通するようにされている。
【００２２】
第１乃至第１２の凸部１１1〜１１12の上面には、Ｚ撚りテープスロット型光ファイバケーブルの各スロットテープ心線に積層収容された各テープ心線（図６に示すテープ心線１０２参照）に含まれる各心線の心線番号を識別するための第１乃至第１２の表示２１1〜２１12が取り付けられている。
【００２３】
ここで、第１乃至第１２の表示２１1〜２１12には、各心線に付与された心線番号のうち一番若い心線番号が各心線に付与された色を背景色として書かれている。
たとえば、第１のスロットテープ心線（図６に示した第１のスロットテープ心線１０３1参照）に１０本のテープ心線（図６に示したテープ心線１０２参照）が積層収容されるとともに各テープ心線に８本の心線が含まれているＳＺ撚りテープスロット型光ファイバケーブルについて、図２（ａ）に示すように一番上に収容されたテープ心線（同図の丸付き数字の“１”参照）に含まれる８本の心線に“１”〜“８”の心線番号が順に付与され、上から二番目に収容されたテープ心線（同図の丸付き数字の“２”参照）に含まれる８本の心線に“９”〜“１６”の心線番号が順に付与され、以下同様にして、一番下に収容されたテープ心線（同図の丸付き数字の“１０”参照）に含まれる８本の心線に“７３”〜“８０”の心線番号が順に付与されるとともに、図２（ｂ）に示すように一番上に収容されたテープ心線（同図の丸付き数字の“１”参照）に含まれる８本の心線の色が青、白、白、桃、黄、白、白および桃とされ、上から二番目に収容されたテープ心線（同図の丸付き数字の“２”参照）に含まれる８本の心線の色が緑、白、白、桃、赤、白、白および桃とされ、以下同様にして、一番下に収容されたテープ心線（同図の丸付き数字の“１０”参照）に含まれる８本の心線の色が赤、白、白、茶、紫、白、白および茶とされているとすると、第１の表示２１1には、図３（ａ）に示すように、第１のスロットテープ心線に積層収容された各テープ心線に含まれる各心線に付与された一番若い心線番号である“１”、“９”、“１７”、“２５”、“３３”、“４１”、“４９”、“５７”、“６５”および“７３”が、これらの心線に付与された色である青、緑、紫、黄、赤、青、緑、紫、黄および赤を背景色として書かれている。
同様にして、第２の表示２１2には、図３（ｂ）に示すように、第２のスロットテープ心線に積層収容された各テープ心線に含まれる各心線に付与された一番若い心線番号である“８１”、“８９”、“９７”、“１０５”、“１１３”、“１２１”、“１２９”、“１３７”、“１４５”および“１５３”が、これらの心線に付与された色である青、緑、紫、黄、赤、青、緑、紫、黄および赤を背景色として書かれている。
【００２４】
左回り用光ファイバ心線番号識別ツール１０Ｌは、図１（ｂ）に示すように、一方の端面（同図図示左側の端面。以下、「左側端面」と称する。）の径ＬLが他方の端面（同図図示右側の端面。以下、「右側端面」と称する。）の径ＬRよりも大きくされている点と、第１乃至第１２の凸部１１1〜１１12が、左回り用光ファイバ心線番号識別ツール１０Ｌの外周面に、左回り用光ファイバ心線番号識別ツール１０Ｌの周方向に沿って等間隔に、左側端面側から見て右回り（時計回り）に順に形成されている点とで、右回り用光ファイバ心線番号識別ツール１０Ｒと異なる。
したがって、第１乃至第１２の表示２１1〜２１12も、左回り用光ファイバ心線番号識別ツール１０Ｌの左側端面側から見て右回りに順に第１乃至第１２の凸部１１1〜１１12の上面に取り付けられている。
【００２５】
次に、本実施例による光ファイバ心線番号識別ツールの使用方法について、クロージャ内にＳＺ撚りテープスロット型光ファイバケーブル１を導入して、ＳＺ撚りテープスロット型光ファイバケーブル１の１本のテープ心線を光ファイバドロップケーブルに接続する作業を行う手順を例として、図４（ａ），（ｂ）を参照して説明する。
【００２６】
作業員は、クロージャ内に導入されたＳＺ撚りテープスロット型光ファイバケーブル１の両端部をケーブル把持金具でそれぞれ固定する（図７（ａ）参照）。続いて、作業員は、クロージャ内に導入されたＳＺ撚りテープスロット型光ファイバケーブル１のシースを取り除いて、第１乃至第１２のスロットテープ心線２1〜２12およびＳＺ撚りスロットロッド１ｂを露出させたのち、露出させた第１乃至第１２のスロットテープ心線２1〜２12を各スロットから取り出す。
なお、以下の説明では、図４（ａ）に示す作業員から見て左手側のＳＺ撚りテープスロット型光ケーブル１のシース切取面ではスロット順が右回りになっており、作業員から見て右手側のＳＺ撚りテープスロット型光ケーブル１のシース切取面ではスロット順が左回りになっているものとする。
【００２７】
作業員は、作業員から見て左手側ではスロット順が右回りになっていることを確認すると、右回り用光ファイバ心線番号識別ツール１０Ｒを切れ目１４から開いて、識別爪１３がＳＺ撚りスロットロッド１ｂの２つのトレーサマーク（図６に示したトレーサマーク１０１ｄ）の間に形成されたスロットに挿入するように、右回り用光ファイバ心線番号識別ツール１０ＲをＳＺ撚りスロットロッド１ｂの左端部側に取り付けたのち、右回り用光ファイバ心線番号識別ツール１０Ｒを閉じる。これにより、ＳＺ撚りスロットロッドが右回り用光ファイバ心線番号識別ツール１０Ｒの貫通孔１５を貫通する。
【００２８】
その後、作業員は、図４（ａ）に矢印で示すように右回り用光ファイバ識別ツール心線ツール１０Ｒを回しながら、右回り用光ファイバ心線番号識別ツール１０Ｒの左側端面がＳＺ撚りテープスロット型光ケーブル１のシース切取面まで同図図示左方向に移動させる。これにより、ＳＺ撚りテープスロット型光ケーブル１のシース切取面付近では露出させた第１乃至第１２のスロットテープ心線２1〜２12が第１乃至第１２の溝１２1〜１２12に嵌った状態となるため、作業員は第１乃至第１２の表示２１1〜２１12を見ることにより、作業対象の心線を確実に認識することができる。
【００２９】
その後、作業員は、作業員から見て右手側ではスロット順が左回りになっていることを確認すると、左回り用光ファイバ心線番号識別ツール１０Ｌを切れ目１４から開いて、識別爪１３がＳＺ撚りスロットロッド１ｂの２つのトレーサマークの間に形成されたスロットに挿入するように、左回り用光ファイバ心線番号識別ツール１０ＬをＳＺ撚りスロットロッド１ｂの右端部側に取り付けたのち、左回り用光ファイバ心線番号識別ツール１０Ｌを閉じる。これにより、ＳＺ撚りスロットロッドが左回り用光ファイバ心線番号識別ツール１０Ｌの貫通孔１５を貫通する。
【００３０】
その後、作業員は、図４（ｂ）に矢印で示すように左回り用光ファイバ心線番号識別ツール１０Ｌを回しながら、左回り用光ファイバ心線番号識別ツール１０Ｌの右側端面がＳＺ撚りテープスロット型光ケーブル１のシース切取り面まで同図図示右方向に移動させる。これにより、ＳＺ撚りテープスロット型光ケーブル１のシース切取面付近では露出させた第１乃至第１２のスロットテープ心線２1〜２12が第１乃至第１２の溝１２1〜１２12に嵌った状態となるため、作業員は第１乃至第１２の表示２１1〜２１12を見ることにより、作業対象の心線を確実に認識することができる。
【００３１】
以上の説明では、スロットテープ心線が第１乃至第１２の溝１２1〜１２12に嵌り易いように第１乃至第１２の凸部１１1〜１１12の左側端面が第１乃至第１２の溝１２1〜１２12の左側端面よりも飛び出るようにしたが、第１乃至第１２の凸部１１1〜１１12の左側端面と第１乃至第１２の溝１２1〜１２12の左側端面とが同一平面上になるようにしてもよい。
【実施例２】
【００３２】
次に、本発明の第２の実施例による光ファイバ心線番号識別ツール５０について、図５を参照して説明する。
本実施例による光ファイバ心線番号識別ツール５０は、図５に示すように、凸部（第１乃至第１２の左側凸部５１1〜５１12および第１乃至第１２の右側凸部７１1〜７１12）および溝（第１乃至第１２の左側溝５２1〜５２12および第１乃至第１２の右側溝７２1〜７２12）の位置が合うように図１（ａ）に示した右回り用光ファイバ心線番号識別ツール１０Ｒと図１（ｂ）に示した左回り用光ファイバ心線番号識別ツール１０Ｌとを一体化させたものである。
【００３３】
なお、第１乃至第１２の左側凸部５１1〜５１12が形成される向きと第１乃至第１２の右側凸部７１1〜７１と12が形成される向きとは逆になるため、切れ目５４は、第１の左側溝５２1と第１２の左側凸部５１12との間および第１の右側溝７２1と第１の右側凸部７１1との間に形成されている。
【００３４】
光ファイバ心線番号識別ツール５０の使用方法は、上述した右回り用光ファイバ心線番号識別ツール１０Ｒおよび左回り用光ファイバ心線番号識別ツール１０Ｌの使用方法と同様であるため、その詳しい説明は省略する。
【符号の説明】
【００３５】
１  ＳＺ撚りテープスロット型光ファイバケーブル
１ｂ  ＳＺ撚りスロットロッド
２1〜２12  第１乃至第１２のスロットテープ心線
１０Ｒ  右回り用光ファイバ心線番号識別ツール
１０Ｌ  左回り用光ファイバ心線番号識別ツール
１１1〜１１12  第１乃至第１２の凸部
１２1〜１２12  第１乃至第１２の溝
１３  識別爪
１４，５４  切れ目
１５  貫通孔
２１1〜２１12  第１乃至第１２の表示
５０  光ファイバ心線番号識別ツール
５１1〜５１12，７１1〜７１12  第１乃至第１２の左側および右側凸部
５２1〜５２12，７２1〜７２12  第１乃至第１２の左側および右側溝
６１1〜６１12，８１1〜８１12  第１乃至第１２の左側および右側表示
１０１  ＳＺ撚りテープスロット型光ファイバケーブル
１０１ａ  テンションメンバ
１０１ｂ  ＳＺ撚りスロットロッド
１０１ｃ  シース
１０１ｄ  トレーサマーク
１０２  テープ心線
１０３1〜１０３5  第１乃至第５のスロットテープ心線
１１０  クロージャ
１１１  ケーブル把持金具
１２１  色チューブ
ＬR，ＬL  径
【図１】
2011158572.tif 000003
【図２】
2011158572.tif 000004
【図３】
2011158572.tif 000005
【図４】
2011158572.tif 000006
【図５】
2011158572.tif 000007
【図６】
2011158572.tif 000008
【図７】
2011158572.tif 000009